(57)【要約】【課題】複数の端末に関連付けられた一意の電話番号により、複数の無線電話端末２０ａ〜２０ｅ間で加入接続を共有するための方法およびシステムを提供すること。【解決手段】特に、この方法は、管理プログラムが、加入接続の範囲内で無線電話ネットワークにアクセスする期間をいくつかのタイムスロットに分割し、管理プログラムが、特定のタイムスロットを各端末２０ａ〜２０ｅに割り振り、各端末２０ａ〜２０ｅに割り振られたタイムスロットが重複しない第１のステップ、各端末２０ａ〜２０ｅに特定のタイムスロットが、１つまたは複数の同期サーバ１から各端末２０ａ〜２０ｅに送信される第２のステップ５３ａ、５３ｂ、および前記タイムスロットが割り振られた各端末２０ａ〜２０ｅのメモリに、特定のタイムスロットが格納される第３のステップを含むことを特徴とする。また、本発明は、この方法を実施できるシステムにも関する。【選択図】　　　図２
2004040783.tif 000002
【特許請求の範囲】
【請求項１】
無線電話手段を備えた複数の端末（２０ａ〜２０ｅ）間で加入接続を共有する方法であって、管理プログラムが、加入接続の範囲内で無線電話ネットワークにアクセスする期間をいくつかのタイムスロットに分割し、前記管理プログラムが、特定のタイムスロットを各端末（２０ａ〜２０ｅ）に割り振り、前記複数の端末（２０ａ〜２０ｅ）に割り振られた前記タイムスロットが重複しない第１のステップと、各端末（２０ａ〜２０ｅ）に特定の前記タイムスロットが、１つまたは複数の同期サーバ（１）から各端末（２０ａ〜２０ｅ）に送信される第２のステップ（５３ａ、５３ｂ）と、前記タイムスロットが割り振られた各端末（２０ａ〜２０ｅ）のメモリに、前記特定のタイムスロットが格納される第３のステップとを含むことを特徴とする方法。
【請求項２】
各端末（２０ａ〜２０ｅ）の前記メモリがＳＩＭカードであることを特徴とする請求項１に記載の方法。
【請求項３】
各端末（２０ａ〜２０ｅ）のクロックを、設定された間隔で前記同期サーバ（１）のクロックと同期させ、前記端末（２０ａ〜２０ｅ）のメモリにクロックデータを格納するステップ（５２ａ、５２ｂ）を含むことを特徴とする請求項１または２のいずれか一項に記載のプロセス。
【請求項４】
前記同期ステップ（５２ａ、５２ｂ）が、１つまたは複数の同期サーバ（１）が前記同期サーバ（１）のクロックの日時を含む同期メッセージを各端末に送信すること、次いでこのメッセージを各端末（２０ａ〜２０ｅ）の回路およびプログラムによって処理することにより各端末（２０ａ〜２０ｅ）の前記クロックを更新するステップで構成されることを特徴とする請求項３に記載の方法。
【請求項５】
前記同期ステップ（５２ａ、５２ｂ）が、前記同期サーバ（１）および各端末（２０ａ〜２０ｅ）に接続されているＧＰＳシステムから前記同期サーバ（１）のクロックおよび各端末（２０ａ〜２０ｅ）のクロックを更新することにあることを特徴とする請求項３に記載の方法。
【請求項６】
前記端末（２０ａ〜２０ｅ）が割り振られているタイムスロットにあるときに、各端末（２０ａ〜２０ｅ）の監視プログラムの部分によってトリガされ、各端末（２０ａ〜２０ｅ）が前記無線電話ネットワークに接続されるステップ（５１ａ、５１ｂ）を含むことを特徴とする請求項１から５のいずれか一項に記載の方法。
【請求項７】
各端末（２０ａ〜２０ｅ）の監視プログラムの部分によってトリガされ、各端末（２０ａ〜２０ｅ）が、割り振られている前記タイムスロットの終了時に、前記無線電話ネットワークから切断されるステップ（５６ａ、５６ｂ）を含むことを特徴とする請求項６に記載の方法。
【請求項８】
前記端末（２０ａ〜２０ｅ）が前記無線電話ネットワークに接続されているタイムスロットにあるとき、測定手段または入力手段（２１ａ〜２１ｅ）を使用して事前設定済みの間隔で測定または入力される、前記クロックおよび物理量に関するデータを含むデータが、前記無線電話ネットワークを介して各端末（２０ａ〜２０ｅ）から１つまたは複数のアプリケーションサーバ（４）に送信されるステップ（５４、５５）を含むことを特徴とする請求項３から７のいずれか一項に記載の方法。
【請求項９】
前記同期サーバ（１）から各アプリケーションサーバ（４）に同期メッセージを送信することによって、各アプリケーションサーバ（４）を前記同期サーバ（１）と同期させるステップを含むことを特徴とする請求項７または８のいずれか一項に記載の方法。
【請求項１０】
各端末（２０ａ〜２０ｅ）が、前記タイムスロットに少なくとも１つの同期サーバ（１）または前記端末（２０ａ〜２０ｅ）に割り振られている１つのアプリケーションサーバ（４）から連絡を受け、この連絡が、新しいタイムスロットおよび／または新しい同期情報を含むメッセージを送信すること、または前記端末と前記アプリケーションサーバ（４）間の前記データ交換の作動を可能にすることからなるステップ（５４）を含むことを特徴とする請求項７から９のいずれか一項に記載の方法。
【請求項１１】
端末（２０ａ〜２０ｅ）が、前記無線電話ネットワークに接続されているタイムスロットにあるとき、データ転送時間が、少なくとも１つの同期サーバ（１）に対して前記端末によって要求されるステップ、次いで第２の加入接続を使用する送信時間が、少なくとも１つのアプリケーションサーバ（４）とデータを交換するために、前記同期サーバ（１）によって前記端末に割り振られるステップを含むことを特徴とする請求項６または７のいずれか一項に記載の方法。
【請求項１２】
端末（２０ａ〜２０ｅ）が、前記無線電話ネットワークに接続されているタイムスロットにあるとき、強制的なデータ送信時間が、少なくとも１つの同期サーバ（１）によって前記端末に割り振られ、その結果前記端末が、少なくとも１つのアプリケーションサーバ（４）とデータを交換するステップを含むことを特徴とする請求項６または７のいずれか一項に記載の方法。
【請求項１３】
少なくとも１つの同期サーバ（１）、および１つのアプリケーションサーバ（４）を含み、前記同期サーバ（１）が、複数の無線電話端末（２０ａ〜２０ｅ）による無線電話ネットワークへのアクセス期間を管理し、定義できるようにする演算手段（１０）、および各端末（２０ａ〜２０ｅ）に割り振られたタイムスロットを記録できるようにするメモリ（１１）を少なくとも含み、前記アプリケーションサーバ（４）が、各端末（２０ａ〜２０ｅ）によって送信されるデータを管理できるようにする演算手段（４０）、およびこのデータを記録できるようにするメモリ（４１）を少なくとも含むことを特徴とする本発明によるプロセスを実施できるようにするシステム。
【請求項１４】
前記同期サーバ（１）がアプリケーションサーバ（４）と一体化されることを特徴とする請求項１３に記載のシステム。
【請求項１５】
前記同期サーバ（１）が、無線電話ネットワークに接続され、同じ加入接続を共有する各端末（２０ａ〜２０ｅ）に、割り振られる前記タイムスロットを定義する前記データを送信するための手段を備えることを特徴とする請求項１３または１４のいずれか一項に記載のシステム。
【請求項１６】
各無線電話端末（２０ａ〜２０ｅ）が、設定された間隔で前記端末に接続された測定手段（２１ａ〜２１ｅ）によって測定された物理量を表す、前記端末（２０ａ〜２０ｅ）のメモリに格納されているデータを送信する手段、および日時の送信手段を含むことを特徴とする請求項１３から１５のいずれか一項に記載のシステム。
【請求項１７】
すべての前記端末（２０ａ〜２０ｅ）が同じＳＩＭカードを有することを特徴とする請求項１３から１６のいずれか一項に記載のシステム。
【請求項１８】
各端末（２０ａ〜２０ｅ）をＧＰＳタイプの同期システムに接続することができることを特徴とする請求項１３から１７のいずれか一項に記載のシステム。
【発明の詳細な説明】
【技術分野】
【０００１】
本発明は、複数の無線電話端末間で加入接続を共有するための方法およびシステムに関する。一意の電話番号がこの複数の端末に関連付けられる。
【背景技術】
【０００２】
本発明は特に、有線電話ネットワークがない所で互いに離れて配置されている装置の管理に有用である。
【０００３】
例えば、フランス中の変圧器を管理しなければならないＥＤＦ社の場合がそうである。本発明による方法によって、端末をＥＤＦの資材置き場（ｉｎ　ｔｈｅ　ＥＤＦ　ｓｔｏｃｋ）の各変圧器に割り振ることによって、例えばＧＳＭネットワークを介して無線電話で、各端末から単一の管理センターに様々なタイプのデータを送信することが可能になる。データには例えば、電力、温度、圧力などの様々な物理量の定期的な測定値を含むことができる。
【０００４】
また、営業担当者のチームをもつ会社の場合もそうであり、本発明によって、受注をほぼ即座に送信することができる。
【０００５】
サービスを監視または検査する巡回サービスの場合もそうであり、本発明によって、従業員が計測し、それらを端末に記録し、次いで管理センターの誰かと通信する必要なく送信することができる。
【０００６】
一般的に言えば、加入接続は無線電話端末を所有している個人に関係があり、各端末にはＳＩＭとして知られるチップカードが備えられ、カードは加入者に関するすべてのデータを含む。ＭＳＩＳＤＮとして知られる呼出し番号、およびＩＭＥＩとして知られる国際端末識別子（ｉｎｔｅｒｎａｔｉｏｎａｌ　ｔｅｒｍｉｎａｌ　ｉｄｅｎｔｉｔｙ）が各端末に関連付けられる。ＩＭＳＩとして知られる国際加入者識別子が加入者に関連付けられる。
【０００７】
端末は異なる３つの別個の状態を示すことができることを述べておく必要がある。
−無線電話ネットワークに接続された状態、
−無線電話ネットワークから切断された状態、
−現在送信中（したがってこの場合も無線電話ネットワークに接続されている）。
【０００８】
欧州特許出願第ＥＰ０７１１０９０号明細書によって知られており、ＧＳＭ端末を所有している複数のユーザが同じ加入接続を共有することができるシステムがある。一意のＩＭＳＩ識別子がすべてのユーザ端末に割り振られる。一方、各端末は、特定のＩＭＥＩを有している。したがって、ＩＭＳＩおよびＩＭＥＩの識別子の組合せで各ユーザを識別することができる。次いで、同じ加入接続により複数のＳＩＭカードを共有している複数のユーザは、同時に各自のＳＩＭカードを使用することができる。誰かが前記加入接続を共有しているユーザの１人と連絡を取ろうとした場合、この人物に、加入接続を共有している異なるユーザのリストが提供され、そのユーザと連絡を取るためにその呼が対象とするユーザを選択する必要がある。このシステムは、家庭用に提供されている。このシステムの１つの欠点は、ユーザの長いリストからユーザを選択する必要があるため、大規模な企業にとっては制限的であることである。このシステムのもう１つの欠点は、各端末が、各始動時および各送信時にＩＭＥＩおよびＩＭＳＩの識別子を含む識別メッセージを送信して、送信者を識別できるようにする義務を負うことである。実際、送信者は、ＩＭＳＩ（ＭＳＩＳＤＮ番号と直接対応する）を使用して識別され、ＩＭＥＩが識別子として使用される場合は、フィルタリングが必要となり、それによって方法がかなり複雑になる。このシステムの他の欠点は、システム管理がますます複雑になることである。実際、対のＳＩＭカードを使用したときに発せられ、これらの対のＳＩＭカードを識別することができると同時に、不正確に複製された海賊版の対のＳＩＭカードを検出することができるアラームは、海賊版のＳＩＭカードが正確に複製された場合、監視センターにおいて公害になる。次いで、海賊版のＳＩＭカードを検出する別の手段を見つけることが必要となり、これによってシステムを複雑化させる。
【０００９】
【文献１】
欧州特許出願第０７１１０９０号明細書
【考案の開示】
【発明が解決しようとする課題】
【００１０】
本発明の第１の目的は、各送信時に端末識別子を送信する必要なく、１つの無線電話ネットワークへの単一の加入接続を複数の無線電話端末の間で共有できるようにする方法を提案することである。
【課題を解決するための手段】
【００１１】
この目的は、無線電話手段を備えた複数の端末間で加入接続を共有する方法であって、管理プログラムが、加入接続の範囲内で無線電話ネットワークにアクセスする期間をいくつかのタイムスロットに分割し、管理プログラムが、特定のタイムスロットを各端末に割り振り、複数の端末に割り振られたタイムスロットが重複しない第１のステップと、各端末に特定のタイムスロットが、１つまたは複数の同期サーバから各端末に送信される第２のステップと、前記タイムスロットが割り振られた各端末のメモリに、特定のタイムスロットが格納される第３のステップとを含むことを特徴とする方法によって達成される。
【００１２】
別の特徴によれば、各端末のメモリはＳＩＭカードである。
【００１３】
別の特徴によれば、方法は、各端末のクロックを、設定された間隔で同期サーバのクロックと同期させ、端末のメモリにクロックデータを格納するステップを含む。
【００１４】
別の特徴によれば、同期ステップが、１つまたは複数の同期サーバが同期サーバのクロックの日時を含む同期メッセージを各端末に送信すること、次いでこのメッセージを各端末の回路およびプログラムによって処理することにより各端末のクロックを更新するステップで構成される。
【００１５】
別の特徴によれば、同期ステップは、同期サーバおよび各端末に接続されているＧＰＳシステムから同期サーバのクロックおよび各端末のクロックを更新することにある。
【００１６】
別の特徴によれば、方法は、端末が割り振られているタイムスロットにあるときに、各端末の監視プログラムの部分によってトリガされ、前記各端末が無線電話ネットワークに接続されるステップを含む。
【００１７】
別の特徴によれば、方法は、各端末の監視プログラムの部分によってトリガされ、各端末が、割り振られているタイムスロットの終了時に、無線電話ネットワークから切断されるステップを含む。
【００１８】
別の特徴によれば、方法は、前記端末が無線電話ネットワークに接続されているタイムスロットにあるとき、測定手段または入力手段を使用して事前設定済みの間隔で測定または入力される、クロックおよび物理量に関するデータを含むデータが、無線電話ネットワークを介して各端末から１つまたは複数のアプリケーションサーバに送信されるステップを含む。
【００１９】
別の特徴によれば、方法は、同期サーバから各アプリケーションサーバに同期メッセージを送信することによって、各アプリケーションサーバを同期サーバと同期させるステップを含む。
【００２０】
別の特徴によれば、方法は、各端末が、タイムスロットにある少なくとも１つの同期サーバまたは前記端末に割り振られている１つのアプリケーションサーバから連絡を受け、この連絡が、新しいタイムスロットおよび／または新しい同期情報を含むメッセージを送信すること、または前記端末とアプリケーションサーバ間のデータ交換の作動を可能にすることからなるステップを含む。
【００２１】
別の特徴によれば、方法は、端末が、無線電話ネットワークに接続されているタイムスロットにあるとき、データ転送時間が、少なくとも１つの同期サーバに対して前記端末によって要求されるステップ、次いで第２の加入接続を使用する送信時間が、少なくとも１つのアプリケーションサーバとデータを交換するために、同期サーバによって前記端末に割り振られるステップを含む。
【００２２】
別の特徴によれば、方法は、端末が、無線電話ネットワークに接続されているタイムスロットにあるとき、強制的なデータ送信時間が、少なくとも１つの同期サーバによって前記端末に割り振られ、その結果前記端末が、少なくとも１つのアプリケーションサーバとデータを交換するステップを含む。
【００２３】
本発明の別の目的は、本発明によるシステムを実施するシステムを提案することである。
【００２４】
この目的は、少なくとも１つの同期サーバ、および１つのアプリケーションサーバを含み、同期サーバが、複数の無線電話端末による無線電話ネットワークへのアクセス期間を管理し、定義できるようにする演算手段、および各端末に割り振られたタイムスロットを記録できるようにするメモリを少なくとも含み、アプリケーションサーバが、各端末によって送信されるデータを管理できるようにする演算手段、およびこのデータを記録できるようにするメモリを少なくとも含むことを特徴とするシステムによって達成される。
【００２５】
別の特徴によれば、同期サーバは、アプリケーションサーバと一体化される。
【００２６】
別の特徴によれば、同期サーバは、無線電話ネットワークに接続され、同じ加入接続を共有する各端末に、割り振られるタイムスロットを定義するデータを送信するための手段を備える。
【００２７】
別の特徴によれば、各無線電話端末は、設定された間隔で前記端末に接続された測定手段によって測定された物理量を表す、前記端末のメモリに格納されているデータを送信する手段、および日時の送信手段を含む。
【００２８】
別の特徴によれば、すべての端末が同じＳＩＭカードを有する。
【００２９】
別の特徴によれば、各端末をＧＰＳタイプの同期システムに接続することができる。
【００３０】
本発明の他の特徴および利点は、以下の説明を添付の図面と併せ読めばより明らかになる。
【発明を実施するための最良の形態】
【００３１】
図１に示すように、本発明による方法は、同じＭＳＩＳＤＮ電話番号、同じＩＭＳＩ識別子、および同じＫｉ認証キーが割り当てられている複数の端末（２０ａ〜２０ｅ）に適用される。単一の加入接続が異なる端末（２０ａ〜２０ｅ）の間で共有される。関係する各端末は、同じ加入接続の情報を備えるＳＩＭカードを含む。図１の実施形態によれば、各端末は、例えばＥＤＦ変圧器などの測定装置または検査装置（２ａ〜２ｅ）を備えている。各装置（２ａ〜２ｅ）は、例えば電力、温度、大気圧などの様々な物理量を測定する手段のグループ（２１ａ〜２１ｅ）を含む。各グループ（２１ａ〜２１ｅ）の測定手段は、例えば、電力計、温度計、気圧計などである。各測定手段のグループ（２１ａ〜２１ｅ）によって、設定された間隔で測定されたデータは、各端末（２０ａ〜２０ｅ）のメモリまたはＳＩＭカードに記録される。
【００３２】
図１では、装置が５つ（２ａ、２ｂ、２ｃ、２ｄ、２ｅ）しか示されていないことに注意されたい。しかし本発明は、はるかに多くの装置に適用することができる。
【００３３】
中央無線電話ネットワークに接続する１組のタイムスロットが、１つまたは複数の同期サーバ（１）によって各端末（２０ａ〜２０ｅ）に割り振られている。図１に単一の同期サーバ（１）を示しているが、このことを限定的なものとみなすべきではない。異なる端末（２０ａ〜２０ｅ）の異なるタイムスロットが重複しないように、このタイムスロットの組は、各端末（２０ａ〜２０ｅ）ごとに異なる。各端末（２０ａ〜２０ｅ）に割り振られた各タイムスロットは、対応する端末（２０ａ〜２０ｅ）のＳＩＭカードに記録される。したがって各端末（２０ａ〜２０ｅ）は、割り振られているタイムスロットの間にのみ電話ネットワークに接続することができる。これらのタイムスロットは、端末との第１の通信が前記同期サーバによって確立されたときに、前記端末に最も近い同期サーバ（１）によって各端末に送信されることが好ましい。いくつかの端末（２０ａ〜２０ｅ）のタイムスロットが重複するのを回避するために、すべての端末の日時が、１デルタの範囲で同じである必要がある。
【００３４】
各同期サーバ（１）は、少なくとも１つのマイクロプロセッサ（１０）、１つのメモリ（１１）、およびマンマシンインターフェース手段を含む。同期サーバ（１）のマイクロプロセッサ（１０）によって、特に、プログラムの実行および同期サーバ（１）インターフェース手段を介して、異なる端末（２０ａ〜２０ｅ）のタイムスロットを割り振りおよび管理をすることが可能になる。各端末（２０ａ〜２０ｅ）に割り振られたタイムスロットの組は、同期サーバ（１）のメモリ（１１）に記録される。中央サーバが、異なる端末と、端末が通信する同期サーバとの間の対応を管理する場合、ある同期サーバによって管理される最も近い端末に割り振られるタイムスロットのみを、前記同期サーバ（１）のメモリ（１１）に記録することができる。
【００３５】
端末（２０ａ〜２０ｅ）が割り振られるタイムスロットに入ったとき、端末の監視プログラムがタイムスロットの開始を検出し、図２に示すように、例えばその無線電話インターフェースを作動させることによって無線電話ネットワーク（５１ａ、５１ｂ）に接続する。次いで前記端末（２０ａ〜２０ｅ）は、本発明による共有加入接続（５５）を使用して、データを１つまたは複数のアプリケーションサーバ（４）に送信することができる。データは、例えばＧＳＭネットワークなどのセル無線電話ネットワークを介して各端末によって、各端末に最も近い地上基地局（３ａ〜３ｂ）に送信される。次いでデータは、有線電話ネットワークを介して前記地上基地局（３ａ〜３ｅ）によって、データを収集する役割を果たすアプリケーションサーバ（４）に送信される。図１に、単一のアプリケーションサーバ（４）を示しているが、このことを限定的なものとみなすべきではない。アプリケーションサーバ（４）を、同期サーバ（１）と一体化させることができる。各アプリケーションサーバ（４）は、少なくとも１つのマイクロプロセッサ（４０）、１つのメモリ（４１）、およびマンマシンインターフェース手段を含む。アプリケーションサーバ（４）のマイクロプロセッサ（４０）によって、特に、プログラムの実行およびアプリケーションサーバ（４）インターフェース手段を介して、異なる端末（２０ａ〜２０ｅ）から受信したデータを管理することが可能となる。アプリケーションサーバ（４）のメモリ（４１）によってこのデータを記録することができる。また、アプリケーションサーバ（４）のメモリ（４１）は、各端末に割り振られたタイムスロットも含み、タイムスロットは同期サーバ（１）によって、設定された間隔で更新される。
【００３６】
端末（２０ａ〜２０ｅ）によってアプリケーションサーバ（４）に送信されたデータは、少なくとも測定された物理量、および送信日時を含む。送信日時データによって、アプリケーションサーバ（４）のマイクロプロセッサ（４０）は、メモリ（４１）に照会することによって、データを送信した端末（２０ａ〜２０ｅ）を識別することができる。本発明の変形形態では、端末（２０ａ〜２０ｅ）は、そのＩＭＥＩ識別子、または他の任意の識別子によって識別される。
【００３７】
端末（２０ａ〜２０ｅ）が無線電話ネットワークに接続されると、同期サーバ（１）は、現在の日時を含むメッセージを前記端末（２０ａ〜２０ｅ）に送信することができ、その結果前記端末が前に記録された日時の代わりに、現在の日時の更新を記録し、そのクロック（５２ａ、５２ｂ）を同期させる。同期サーバ（１）は、同じメッセージをアプリケーションサーバ（４）に送信し、その結果アプリケーションサーバ（４）もそのクロックを同期させることができる。実際、すべての端末、同期サーバ、およびアプリケーションサーバが同じ日時になることが重要であり、その結果異なる端末（２０ａ〜２０ｅ）のタイムスロットが重複するのを回避し、端末識別子を使用する必要なくタイムスロットだけで、同期サーバ（１）およびアプリケーションサーバ（４）が異なる端末と連絡できるようになる。しかし、各端末（２０ａ〜２０ｅ）およびサーバ（１、４）のクロックには、他の端末（２０ａ〜２０ｅ）およびサーバ（１、４）の日時に対してある程度のずれが生じる。さらに、加入接続を最適化するために、異なる端末（２０ａ〜２０ｅ）に割り振られるタイムスロットが次から次へと連続する必要がある。更新時間の誤差範囲は、メッセージの往復時間に相当する。
【００３８】
本発明の変形形態では、各端末（２０ａ〜２０ｅ）、および各サーバ（１、４）は、約１０メートルの精度で絶対位置、およびマイクロ秒の精度までの時間データを提供するＧＰＳシステムに接続される。各ＧＰＳシステムは実際、この情報を、原子時計に合せて校正された周波数を供給する発振器を含む衛星から受信する。この変形形態では、各端末（２０ａ〜２０ｅ）および各サーバ（１、４）のクロックは、ＧＰＳシステムを使用して規則的に更新される。次いで同期サーバ（１）は、各端末（２０ａ〜２０ｅ）および各アプリケーションサーバ（４）の日時を更新する必要はない。
【００３９】
２つの端末（２０ａ〜２０ｅ）間の同期が完全ではない場合、これら２つの端末（２０ａ〜２０ｅ）は、同じ経路切替セル（ｒｏｕｔｅ　ｓｗｉｔｃｈｉｎｇ　ｃｅｌｌ）にいる場合を除いて、同時に無線電話ネットワークに接続され、同時に送信することがある。一方、２つの端末は、同時には接続することはできない。そのため、２つの端末（２０ａ〜２０ｅ）がデータを同時に送信するとき、同期サーバ（１）は、少なくともこれら２つの端末のクロックを同期させ、おそらくそれらのタイムスロットを更新する。この場合、同期サーバ（１）は、例えば各ＩＭＥＩなど関係する端末の識別子を、同期およびタイムスロット更新メッセージ（ｓｙｎｃｈｒｏｎｉｓａｔｉｏｎ　ａｎｄ　ｔｉｍｅ　ｓｌｏｔ　ｕｐｄａｔｅ　ｍｅｓｓａｇｅ）とともに送信し、その結果各端末が割り振られたメッセージを識別し、各端末はこの前記識別子を所有し、そのメモリまたはＳＩＭカードに記録する。
【００４０】
端末（２０ａ〜２０ｅ）が無線電話ネットワークに接続されているとき、同期サーバ（１）は、インストール用管理プログラムによってこのタイムスロットの組に変更が行われたときに、前記端末に対応するすべてのタイムスロット（５３ａ、５３ｂ）の更新を前記端末（２０ａ〜２０ｅ）に送信することができる。
【００４１】
端末（２０ａ〜２０ｅ）のプログラム（２２）は、許可されたタイムスロットに入ることを検出する端末監視ループ（２２０）を含む。プログラム（２２）は、端末（２０ａ〜２０ｅ）またはＳＩＭカードのメモリゾーンを検査して、テスト（５１）を用いて、送信すべき情報があるかどうかを判断する。
【００４２】
送信すべき情報がない場合、プログラム（２２）は続行して、送信タイムスロットが同期される可能性があるステップ（５２ｂ）、および送信タイムスロットが更新される可能性があるステップ（５３ａ）を行う。切断ステップ（５６ａ）の前に、プログラム（２２）は、同期サーバまたはアプリケーションサーバ（１、４）が端末（２０ａ〜２０ｅ）と連絡するステップ（５４）を可能にし、その結果同期サーバまたはアプリケーションサーバ（１、４）が、無線電話端末（２０ａ〜２０ｅ）に接続されているアプリケーション向けのデータを端末（２０ａ〜２０ｅ）に送信する。
【００４３】
送信すべき情報がある場合、プログラム（２２）は続行して、クロックが同期される可能性があるステップ（５２ｂ）、および端末（２０ａ〜２０ｅ）の送信タイムスロットが更新される可能性があるステップ（５３ｂ）を行う。次いで端末（２０ａ〜２０ｅ）は、データをアプリケーションサーバ（４）に送信する権限が与えられる（５５）。また、各同期サーバまたはアプリケーションサーバ（１、４）は、ステップ（５５）で、切断ステップ（５６ｂ）の前に、無線電話端末に接続されているアプリケーション向けのデータを端末（２０ａ〜２０ｅ）に送信することもできる。
【００４４】
端末（２０ａ〜２０ｅ）が割り振られているタイムスロットを離れるとき、その監視プログラムは、図２に示すように、例えば無線電話インターフェースの作動を停止させることによって、タイムスロットの終了時を検出して、無線電話ネットワーク（５６ａ、５６ｂ）から切断する。
【００４５】
同期サーバまたはアプリケーションサーバ（１、４）は、例えば前記端末（２０ａ〜２０ｅ）のクロックまたはタイムスロットを更新する、前記端末（２０ａ〜２０ｅ）から送信データがないことを確認するよう要求するために、そうでなければソフトウェアを更新するために、接続されているが、実際には送信していない端末（２０ａ〜２０ｅ）に連絡することができる。
【００４６】
本発明の変形形態では、１つではなく２つの加入接続が使用される。この変形形態は、交換するデータのボリュームがかなり大きい場合に有効である。第１の加入接続は、端末（２０ａ〜２０ｅ）のタイムスロットを同期させ更新するためだけに使用される。端末が、割り振られているタイムスロットの間に無線電話ネットワークに接続されるとき、前記端末は、同期サーバ（１）に、送信資格付与メッセージ（ｔｒａｎｓｍｉｓｓｉｏｎ　ｅｎｔｉｔｌｅｍｅｎｔ　ｍｅｓｓａｇｅ）によって、例えばトークンのシステムによって、データ交換のためにアプリケーションサーバ（４）に送信する時間を割り当てるよう要求することができる。また、同期サーバ（１）が、前記端末に、データ交換のためにアプリケーションサーバ（４）に送信するのにこの時間を取るよう命令することもできる。送信資格付与メッセージは、例えば、連絡するアプリケーションサーバ（４）の数を含むことができる。データは、第２の加入接続によってアプリケーションサーバ（４）と交換される。２つの加入接続のシステムを使用することによって、一方ではいくつかの端末による同時送信の危険性を低減することが可能となり、また一方では端末の接続または送信が潜在的に可能な期間の数を増やすことが可能となる。
【００４７】
端末が無線電話ネットワークに接続されているとき、この端末のユーザが前記端末を使用して、別の物理的な人間を呼び出して、例えば、個人的に収集されたデータを送信できることを指摘する必要がある。
【００４８】
本発明によって、請求した本発明の適用の範囲から逸脱することなく他の多くの特定の形態の実施形態が可能となることは、当分野の技術者であれば明らかであるに違いない。その結果、本実施形態は、例としてみなされるべきものであり、しかし添付の特許請求の範囲で定義した分野で変更することができる。また本発明は、上記の詳細に限定されるものでない。
【図面の簡単な説明】
【００４９】
【図１】本発明による方法の実施形式を示す図である。
【図２】本発明による方法を示すブロック図である。
【符号の説明】
【００５０】
１　同期サーバ
２ａ、２ｂ、２ｃ、２ｄ、２ｅ　測定装置または検査装置
３ａ、３ｂ　地上基地局
４　アプリケーションサーバ
１０　マイクロプロセッサ
１１、４１　メモリ
２０ａ、２０ｂ、２０ｃ、２０ｄ、２０ｅ　端末
２１ａ、２１ｂ、２１ｃ、２１ｄ、２１ｅ　グループ
２２　プログラム
４０　マイクロプロセッサ
２２０　端末監視ループ
【図１】
2004040783.tif 000003
【図２】
2004040783.tif 000004
【外国語明細書】
2004040783.tif 000005
2004040783.tif 000006
2004040783.tif 000007
2004040783.tif 000008
2004040783.tif 000009
2004040783.tif 000010
2004040783.tif 000011
2004040783.tif 000012
2004040783.tif 000013
2004040783.tif 000014
2004040783.tif 000015
2004040783.tif 000016
2004040783.tif 000017
2004040783.tif 000018
2004040783.tif 000019
2004040783.tif 000020
2004040783.tif 000021
2004040783.tif 000022